(57)【特許請求の範囲】
【請求項１】
地面等固定側に立設される複数本の柱と、これら柱に架設され、平面視で枠形状となるよう配置される複数本の梁と、これら梁に支持され昇降可能とされる屋根とを備えた浮屋根式構築物において、
上記各柱に対し上記各梁が昇降可能となるようにし、上記屋根が、その平面視での中央部側を構成し何らかの物体を載置可能とさせる載置台と、この載置台を上記各梁に支持させる膜体とを備え、上記固定側上に溢れた水から浮力を与えられて上記各梁を上昇させる浮体を設け、この浮体により上昇させられる上記各梁を上記載置台よりも高く位置付け可能にしたことを特徴とする浮屋根式構築物。
【請求項２】
上記浮体を上記柱に対し上下に摺動可能となるよう外嵌させたことを特徴とする請求項１に記載の浮屋根式構築物。
【請求項３】
上記梁にクッション材を外装させたことを特徴とする請求項１、もしくは２に記載の浮屋根式構築物。
【請求項４】
上記梁よりも上記載置台が高く位置するよう、上記柱の上部側から上記載置台を吊り上げる吊り上げ体を設けたことを特徴とする請求項１から３のうちいずれか１つに記載の浮屋根式構築物。
【請求項５】
上記膜体を非通水性にしたことを特徴とする請求項１から４のうちいずれか１つに記載の浮屋根式構築物。
【請求項６】
上記膜体を通水性にしたことを特徴とする請求項１から４のうちいずれか１つに記載の浮屋根式構築物。
【発明の詳細な説明】
【技術分野】
【０００１】
本発明は、洪水時に、地面等固定側上に溢れた水から浮力を与えられて上昇し、その上面に人等物体を載置して保護する屋根を備えた新規な浮屋根式構築物に関するものである。
【背景技術】
【０００２】
昇降可能な屋根を備えた構築物には、従来、下記特許文献１に示されるものがある。
【０００３】
具体的には、上記公報における構築物は、地面等固定側に立設される複数本の柱と、これら柱に架設され、平面視で枠形状となるよう配置される複数本の梁と、これら梁に支持され昇降可能とされる屋根とを備えている。そして、上記屋根を昇降させることにより、この構築物において、必要な作業空間や所望の作業環境が確保できることとされている。
【先行技術文献】
【特許文献】
【０００４】
【特許文献１】特開平９−２５０２４４号公報
【発明の概要】
【発明が解決しようとする課題】
【０００５】
ところで、台風や津波等による洪水時には、地面等固定側上に溢れた水により人や家財などの物体が破損したり流失したりするおそれがある。そこで、これを防止するため、この物体を上記構築物の屋根上に載置すると共に、この屋根を上昇させて上記物体を保護することが考えられる。
【０００６】
しかし、上記した従来の技術の構築物における屋根の上昇は、上記洪水時の水面の高さとは何ら関連なく実施されるものである。このため、仮に、上記屋根上に物体を載置したとしても、洪水時に増水した水面が上記物体に追いついて、この物体の保護が不十分になるおそれを生じる。
【課題を解決するための手段】
【０００７】
本発明は、上記のような事情に注目してなされたもので、本発明の目的は、通常時の構築物は、何らかの目的のために利用されるものであり、その一方、洪水時には、地面等固定側上に溢れた水から人や家財などの物体を保護するためのものとして利用できるようにすることである。
【０００８】
請求項１の発明は、地面等固定側２に立設される複数本の柱３と、これら柱３に架設され、平面視（図２）で枠形状となるよう配置される複数本の梁４と、これら梁４に支持され昇降可能とされる屋根５とを備えた浮屋根式構築物において、
上記各柱３に対し上記各梁４が昇降可能となるようにし、上記屋根５が、その平面視（図２）での中央部側を構成し何らかの物体１２を載置可能とさせる載置台１３と、この載置台１３を上記各梁４に支持させる膜体１４とを備え、上記固定側２上に溢れた水Ｗから浮力を与えられて上記各梁４を上昇させる浮体１５を設け、この浮体１５により上昇させられる上記各梁４を上記載置台１３よりも高く位置付け可能にしたことを特徴とする浮屋根式構築物である。
【０００９】
請求項２の発明は、上記浮体１５を上記柱３に対し上下に摺動可能となるよう外嵌させたことを特徴とする請求項１に記載の浮屋根式構築物である。
【００１０】
請求項３の発明は、上記梁４にクッション材１７を外装させたことを特徴とする請求項１、もしくは２に記載の浮屋根式構築物である。
【００１１】
請求項４の発明は、上記梁４よりも上記載置台１３が高く位置するよう、上記柱３の上部側から上記載置台１３を吊り上げる吊り上げ体３０を設けたことを特徴とする請求項１から３のうちいずれか１つに記載の浮屋根式構築物である。
【００１２】
請求項５の発明は、上記膜体１４を非通水性にしたことを特徴とする請求項１から４のうちいずれか１つに記載の浮屋根式構築物である。
【００１３】
請求項６の発明は、上記膜体１４を通水性にしたことを特徴とする請求項１から４のうちいずれか１つに記載の浮屋根式構築物である。
【００１４】
なお、この項において、上記各用語に付記した符号や図面番号は、本発明の技術的範囲を後述の「実施例」の項や図面の内容に限定解釈するものではない。
【発明の効果】
【００１５】
本発明による効果は、次の如くである。
【００１６】
請求項１の発明は、地面等固定側に立設される複数本の柱と、これら柱に架設され、平面視で枠形状となるよう配置される複数本の梁と、これら梁に支持され昇降可能とされる屋根とを備えた浮屋根式構築物において、
上記各柱に対し上記各梁が昇降可能となるようにし、上記屋根が、その平面視での中央部側を構成し何らかの物体を載置可能とさせる載置台と、この載置台を上記各梁に支持させる膜体とを備え、上記固定側上に溢れた水から浮力を与えられて上記各梁を上昇させる浮体を設け、この浮体により上昇させられる上記各梁を上記載置台よりも高く位置付け可能にしている。
【００１７】
このため、上記構築物は、通常時は、東屋のような休憩所や日除けなど、何らかの目的を持ったものとして利用できる。また、上記膜体は、これが仮にネット状であるとしても、特に日除けとして有効に機能させることができる。一方、洪水時には、上記浮体の浮力により梁が上昇させられ、これに連動して上記載置台上の空間が上記膜体により取り囲まれることから、上記載置台上の人や家財などの物体は上記膜体で取り囲まれ、かつ、上記梁が手摺として働く。よって、上記構築物は、洪水時の被災物体を保護することにも利用できる。
【００１８】
請求項２の発明は、上記浮体を上記柱に対し上下に摺動可能となるよう外嵌させている。
【００１９】
このため、洪水時に、水に流されてきた流木など浮遊物が上記柱に直接衝突することは上記浮体により防止されて、この柱の損傷が防止される。よって、この柱に対しての上記浮体の上方への円滑な摺動が確保されることから、この浮体の浮力による梁の上昇が円滑になされて、上記物体の保護が、より確実に達成される。
【００２０】
また、特に、上記浮体が緩衝機能を有する場合には、上記柱への浮遊物の衝突時の衝撃力は上記浮体により緩和され、よって、上記柱の損傷が、より確実に防止される。
【００２１】
請求項３の発明は、上記梁にクッション材を外装させている。
【００２２】
このため、洪水時には、上記浮体の浮力により梁と共にクッション材も上昇させられる。よって、上記載置台上の物体は上記クッション材で囲まれることから、このクッション材の緩衝機能により、上記載置台上の物体は、より確実に保護される。
【００２３】
また、水に流されてきた流木など浮遊物が上記クッション材に衝突するとき、その衝撃力が緩和されて、上記梁の損傷が防止される。よって、上記載置台上の物体は更に確実に防止される。
【００２４】
請求項４の発明は、上記梁よりも上記載置台が高く位置するよう、上記柱の上部側から上記載置台を吊り上げる吊り上げ体を設けている。
【００２５】
このため、上記載置台を吊り上げた分、通常時の構築物の内部空間を広くでき、また、上記屋根は側面視で台形状となることから、この屋根上の水はけをよくすることができる。よって、上記構築物の内部空間が、より快適に利用できる。
【００２６】
請求項５の発明は、上記膜体を非通水性にしている。
【００２７】
このため、洪水時に、上記浮体の浮力により梁が上昇させられるとき、上記膜体で囲まれた上記載置台上側への水の浸入は上記膜体により防止される。よって、上記載置台上の物体の保護は更に確実に達成される。
【００２８】
請求項６の発明は、上記膜体を通水性にしている。
【００２９】
このため、洪水時に、上記膜体に向かう水はこの膜体を透過することから、上記膜体に与えられる水からの外力は小さく抑制される。よって、上記構築物に対する水からの外力が小さく抑制されて、この構築物の強度上、有益である。
【図面の簡単な説明】
【００３０】
【図１】実施例１を示し、側面図である。
【図２】実施例１を示し、平面図である。
【図３】実施例１を示し、斜視図である。
【図４】実施例２を示し、図１に相当する図である。
【発明を実施するための形態】
【００３１】
本発明の浮屋根式構築物に関し、通常時の構築物は、何らかの目的のために利用されるものであり、その一方、洪水時には、地面等固定側上に溢れた水から人や家財などの物体を保護するためのものとして利用できるようにする、という目的を実現するため、本発明を実施するための形態は、次の如くである。
【００３２】
即ち、浮屋根式構築物は、地面等固定側に立設される複数本の柱と、これら柱に架設され、平面視で枠形状となるよう配置される複数本の梁と、これら梁に支持され昇降可能とされる屋根とを備えている。上記各柱に対し上記各梁が昇降可能となるようにする。上記屋根が、その平面視での中央部側を構成し何らかの物体を載置可能とさせる載置台と、この載置台を上記各梁に支持させる膜体とを備える。上記固定側上に溢れた水から浮力を与えられて上記各梁を上昇させる浮体とを設ける。この浮体により上昇させられる上記各梁を上記載置台よりも高く位置付け可能にする。
【実施例１】
【００３３】
本発明をより詳細に説明するために、その実施例１を添付の図１〜３に従って説明する。
【００３４】
図１〜３において、符号１は、浮屋根式構築物であり、通常時は、東屋のような休憩所など、何らかの目的のために利用されるものである。
【００３５】
上記構築物１は、固定側２に立設される複数本（４本）の柱３と、これら柱３に架設され、平面視（図２）で矩形枠形状となるよう配置される複数本（４本）の梁４と、これら梁４に支持され昇降可能とされる屋根５とを備えている。
【００３６】
上記固定側２は水平に延びる地面であり、その地中に施工されたコンクリート基礎に上記各柱３の下端部がアンカーボルトにより締結され、これら各柱３は、上記固定側２に強固に支持されている。なお、上記固定側２は、建物などの他の構築物であってもよい。
【００３７】
上記各柱３は、それぞれ断面円形の金属（軽金属含む）パイプ製であって互いに同形同大とされている。これら各柱３は、平面視（図２）で、仮想矩形体の各角部に位置するよう配置され、それぞれ鉛直方向に平行に延びている。なお、上記各柱３は角パイプ製であってもよく、断面Ｈ形状等の型鋼であってもよく、樹脂製であってもよい。
【００３８】
上記各梁４は、上記各柱３の上下方向の中途部にがたつきなく外嵌されて上下に摺動可能とされる短尺の摺動パイプ８と、水平方向に延びてその各端部が上記各摺動パイプ８に固着される梁本体９とを有している。これら各摺動パイプ８と各梁本体９とは、それぞれ断面円形の金属パイプ製であって、各摺動パイプ８同士と各梁本体９同士とは、それぞれ互い同形同大とされている。そして、上記各柱３に対し各摺動パイプ８が上下に摺動することにより、上記各柱３に対し上記各梁４が一体的に平行移動するよう昇降可能とされている。
【００３９】
なお、上記各摺動パイプ８や梁本体９は角パイプ製であってもよく、各梁本体９は断面Ｈ形状等の型鋼であってもよく、樹脂製であってもよい。
【００４０】
上記屋根５は、その平面視（図２）での中央部側を構成し人や家財など何らかの物体１２を載置可能とさせる矩形板形状の載置台１３と、この載置台１３を上記各梁４に支持させる膜体１４とを備えている。また、上記各柱３の長手方向の中途部に上下に摺動可能に外嵌され、洪水時に上記固定側２上に溢れた水Ｗから浮力を与えられて上記各梁４を一体的に上昇させる複数（４つ）の浮体１５と、上記各柱３に取り付けられ、上記各浮体１５が上記各柱３に対し所定位置以上に下方摺動することを阻止するストッパ１６と、上記各梁４の梁本体９に外装されるクッション材１７とが設けられている。
【００４１】
上記の場合、各ストッパ１６上に上記各浮体１５が載置され、これら各浮体１５上に上記各梁４の摺動パイプ８が載置されている。これにより、上記各梁４は所望高さに位置させられている。また、図１中一点鎖線で示すように、上記浮体１５により上昇させられる上記梁４およびクッション材１７は、上記載置台１３よりも高く位置付け可能とされている。
【００４２】
上記載置台１３は、水Ｗに浮遊可能な板形状の台本体１８と、この台本体１８を密閉状に覆うシート状の表皮体１９とを備えている。上記台本体１８は高密度発泡ポリスチレン製であり、多少の弾性を有して緩衝機能を有している。一方、上記表皮体１９は、ケナフ繊維等の天然繊維、ポリエステル（ＰＥＴ）等の合成繊維、もしくは無機繊維等による織物と、この織物の両面のうち、少なくともいずれか一方の面にコーティングされるポリ塩化ビニル（ＰＶＣ）、ポリウレタン（ＰＵ）、エチレン・酢酸ビニル共重合体（ＥＶＡ）、低発泡ポリエチレン（ＰＥ）、もしくはフッ素樹脂等の合成樹脂製表皮材とを備え、非通水性（遮水性）とされている。また、上記載置台１３の表皮体１９の表面には汚れ防止のための光触媒層が適宜コーティングされる。なお、上記載置台１３は、水に浮遊可能なものであればよく、樹脂板やＦＲＰ板等からなる台本体１８のみで形成してもよい。
【００４３】
前記膜体１４は、平面視（図２）で矩形枠形状をなし、その材質は上記表皮体１９と同様であるが、互いに同じであることが好ましい。
【００４４】
前記浮体１５は円筒形状をなし、その材質は、前記載置台１３の台本体１８と同様である。
【００４５】
前記クッション材１７は、上記載置台１３と同様の構造であって、上記梁４の梁本体９に外装されて水Ｗに浮遊可能な円筒形状のクッション本体２２と、このクッション本体２２を密閉状に覆うシート状の表皮材２３とを備えている。上記クッション本体２２の材質は、前記載置台１３の台本体１８と同様であり、上記表皮材２３の材質は、上記載置台１３の表皮体１９と同様であるが、互いに同じであることが好ましい。
【００４６】
前記膜体１４の外縁部は上記クッション材１７を介して梁４に固着手段２６により固着される。具体的には、上記膜体１４の外縁部は、上記クッション材１７の表皮材２３に溶着による固着手段２６により固着されている。一方、上記膜体１４の内縁部は、上記載置台１３の外縁部の表皮体１９に溶着による他の固着手段２７により固着されている。なお、上記固着手段２６，２７は、縫合や接着であってもよく、フックなどの係止具で構成してもよい。
【００４７】
上記梁４よりも上記載置台１３が高く位置するよう、上記各柱３の上部側から上記載置台１３を吊り上げる吊り上げ体３０が設けられている。この吊り上げ体３０は、上記載置台１３の各角部を前記各柱３の上端部から吊り上げるものであり、複数本（４本）の可撓性長尺体であるケーブルで構成されている。なお、上記長尺体は、ロープ、ワイヤ、ゴム紐、チェーンなどであってもよい。
【００４８】
なお、前記ストッパ１６は設けなくてもよいが、この場合、上記各梁４は、上記膜体１４、載置台１３、および吊り上げ体３０を介し上記各柱３の上端部から吊り上げられた状態とされる。また、上記各梁４が所望高さとなるよう、上記クッション材１７の長さを十分長くして、その下端部を上記固定側２の上面に当接させれば、上記ストッパ１６は設けなくてもよい。また、上記浮体１５は上記梁４に取り付けてもよく、この場合、上記各梁４が所望高さから下降することを阻止するよう上記ストッパ１６を設けてもよい。
【００４９】
上記構成によれば、地面等固定側２に立設される複数本の柱３と、これら柱３に架設され、平面視（図２）で枠形状となるよう配置される複数本の梁４と、これら梁４に支持され昇降可能とされる屋根５とを備えた浮屋根式構築物において、
上記各柱３に対し上記各梁４が昇降可能となるようにし、上記屋根５が、その平面視（図２）での中央部側を構成し何らかの物体１２を載置可能とさせる載置台１３と、この載置台１３を上記各梁４に支持させる膜体１４とを備え、上記固定側２上に溢れた水Ｗから浮力を与えられて上記梁４を上昇させる浮体１５を設け、この浮体１５により上昇させられる上記梁４を上記載置台１３よりも高く位置付け可能にしている。
【００５０】
このため、上記構築物１は、通常時は、東屋のような休憩所や日除けなど、何らかの目的を持ったものとして利用できる。また、上記膜体１４は、これが仮にネット状であるとしても、特に日除けとして有効に機能させることができる。一方、洪水時には、上記浮体１５の浮力により梁４が上昇させられ、これに連動して上記載置台１３上の空間が上記膜体１４により取り囲まれることから、上記載置台１３上の人や家財などの物体１２は上記膜体１４で取り囲まれ、かつ、上記梁４が手摺として働く。よって、上記構築物１は、洪水時の被災物体１２を保護することにも利用できる。
【００５１】
また、前記したように、浮体１５を柱３に対し上下に摺動可能となるよう外嵌させている。
【００５２】
このため、洪水時に、水Ｗに流されてきた流木など浮遊物が上記柱３に直接衝突することは上記浮体１５により防止されて、この柱３の損傷が防止される。よって、この柱３に対しての上記浮体１５の上方への円滑な摺動が確保されることから、この浮体１５の浮力による梁４の上昇が円滑になされて、上記物体１２の保護が、より確実に達成される。
【００５３】
また、特に、上記浮体１５が緩衝機能を有する場合には、上記柱３への浮遊物の衝突時の衝撃力は上記浮体１５により緩和されて、上記柱３の損傷が、より確実に防止される。
【００５４】
また、前記したように、梁４にクッション材１７を外装させている。
【００５５】
このため、洪水時には、上記浮体１５の浮力により梁４と共にクッション材１７も上昇させられる。よって、上記載置台１３上の物体１２は上記クッション材１７で囲まれることから、このクッション材１７の緩衝機能により、上記載置台１３上の物体１２は、より確実に保護される。
【００５６】
また、水Ｗに流されてきた流木など浮遊物が上記クッション材１７に衝突するとき、その衝撃力が緩和されて、上記梁４の損傷が防止される。よって、上記載置台１３上の物体１２は更に確実に防止される。
【００５７】
また、前記したように、梁４よりも載置台１３が高く位置するよう、柱３の上部側から上記載置台１３を吊り上げる吊り上げ体３０を設けている。
【００５８】
このため、上記載置台１３を吊り上げた分、通常時の構築物１の内部空間を広くでき、また、上記屋根５は側面視（図１）で台形状となることから、この屋根５上の水はけをよくすることができる。よって、上記構築物１の内部空間が、より快適に利用できる。
【００５９】
また、前記したように、膜体１４を非通水性にしている。
【００６０】
このため、洪水時に、上記浮体１５の浮力により梁４が上昇させられるとき、上記膜体１４で囲まれた上記載置台１３上側への水Ｗの浸入は上記膜体１４により防止される。よって、上記載置台１３上の物体１２の保護は更に確実に達成される。
【００６１】
なお、上記膜体１４をネット状の膜面や、ジオシンセティック（もしくはジオグリッド）といわれるような網体として、通水性を有するようにしてもよい。この場合、上記膜体１４は、その芯材となって強度の大きい織物と、この織物の外面にコーティングされる樹脂製表皮材とを備える。上記織物の材質は、前記載置台１３の表皮体１９の織物と同様であり、上記表皮材の材質は、上記表皮体１９の表皮材と同様である。また、上記網体として、金属製のケーブルをネット状にしたケーブルネットを使用することもできる。
【００６２】
上記構成によれば、洪水時に、上記膜体１４に向かう水Ｗはこの膜体１４を透過することから、上記膜体１４に与えられる水Ｗからの外力は小さく抑制される。よって、上記構築物１に対する水Ｗからの外力が小さく抑制されて、この構築物１の強度上、有益である。
【００６３】
以下の図２は、実施例２を示している。この実施例２は、前記実施例１と構成、作用効果において多くの点で共通している。そこで、これら共通するものについては、図面に共通の符号を付してその重複した説明を省略し、異なる点につき主に説明する。また、これら実施例における各部分の構成を、本発明の目的、作用効果に照らして種々組み合せてもよい。
【実施例２】
【００６４】
本発明をより詳細に説明するために、その実施例２を添付の図４に従って説明する。
【００６５】
図４において、前記吊り上げ体３０は設けられていない。このため、上記梁４に対し上記膜体１４を介し上記載置台１３が吊り下げられている。
【００６６】
上記の場合、膜体１４で囲まれた上記載置台１３上の空間に雨水が溜まらないよう、上記載置台１３と膜体１４とのうち、少なくともいずれか一方を通水性にするか、少なくともいずれか一方に排水孔を形成することが好ましい。
【符号の説明】
【００６７】
１    構築物
２    固定側
３    柱
４    梁
５    屋根
８    摺動パイプ
９    梁本体
１２  物体
１３  載置台
１４  膜体
１５  浮体
１６  ストッパ
１７  クッション材
３０  吊り上げ体
Ｗ    水
【図１】
0005845101.tif 000002
【図２】
0005845101.tif 000003
【図３】
0005845101.tif 000004
【図４】
0005845101.tif 000005